(57)【要約】  【課題】    顕色性と演色性に優れた照明装置の提供。 【解決手段】    本考案の照明器具は、混光装置と回路板から構成され、そのうち、該回路板は駆動回路、白色光発光体、有色光発光体を備え、該駆動回路が該白色光発光体と該有色光発光体の発光を制御し、該白色光発光体は該回路板上に１つ以上設置され、且つ、その周囲に一組以上の配置位置の異なる該有色光発光体が設置され、発光時には該有色光発光体が入射角の異なる有色光を発し、且つ、有色光が混光された後白色光となり、該白色光発光体の発する白色光と混光装置により混合され、物体上に照射されると、有色光の異なる反射角により複数色のそれぞれに発散される多色光が形成される。  【選択図】    図３
0003116442.tif 000002
【実用新案登録請求の範囲】
【請求項１】
混光装置と回路板から構成され、そのうち、該回路板は駆動回路、白色光発光体、有色光発光体を備え、該駆動回路が該白色光発光体と該有色光発光体の発光を制御し、該白色光発光体は該回路板上に１つ以上設置され、且つ、その周囲に一組以上の配置位置の異なる該有色光発光体が設置され、発光時には該有色光発光体が入射角の異なる有色光を発し、且つ、有色光が混光された後白色光となり、該白色光発光体の発する白色光と混光装置により混合され、物体上に照射されると、有色光の異なる反射角により複数色のそれぞれに発散される多色光が形成される照明器具。
【請求項２】
前記白色光発光体が白色発光ダイオード、白色光エレクトロルミネッセンスシート、多色を混光して成る白色光及び関連の白色光発光装置である請求項１に記載の照明器具。
【請求項３】
前記有色光発光体が有色発光ダイオード、有色光エレクトロルミネッセンスシート及び関連の有色光発光装置である請求項１に記載の照明器具。
【考案の詳細な説明】
【技術分野】
【０００１】
本考案は照明器具に関し、詳細には、白色光発光体と有色光発光体が同時に発光するとき、白色光発光体が発する光線がスペクトル範囲が一定の白色光であり、これに有色光発光体が発する特定のスペクトルの有色光線を混合し、混光装置が発する光線が全スペクトル白色光となる、照明装置に関する。
【０００２】
この全スペクトル白色光を照明として用いると、その良好な顕色性と演色性により、人の肉眼または撮影装置に見える物体の色をより鮮やかに見せることができる。
【０００３】
混光前の有色発光体は位置が異なり、全スペクトル白色光内に入射角が異なる有色光が含まれ、宝石やダイヤモンド等の反射体に照射されると、その異なる反射角が全スペクトル白色光内の有色光に複数の色をそれぞれ発散させ多色光機能を形成する。
【背景技術】
【０００４】
図１に示すように、白熱球Ａは真空ガラス球体内にフィラメントＢを設置して密封したものであり、電流が通過すると、フィラメントＢの抵抗発熱を利用し、高温が白熱状態になり発光する。白熱球Ａの光線をやわらかくするため、多くがガラス球に弱酸処理を施すかつや消しガラスとすることで、フィラメントが発する光を拡散している。その出力は約１１ｌｍ／ｗ〜２２ｌｍ／ｗであり、同時に、使用中の白熱球Ａは各部の温度がとても高く、消費電力も大きい。
【０００５】
また、その発する光線は、色温度が一般的に低く、且つ、肉眼に見える光線は、大部分が赤色光、オレンジ光で一部は黄色光であり、暖色系に偏っており、その他冷色系の色光が占める割合は非常に低く、物体を照射すると、その物体が赤っぽくなったり、オレンジがかったりしがちであり、顕色性と演色性が低い。
【０００６】
図２に示すように、節電電球Ｃは電極Ｃ２上に酸化カリウムや酸化カルシウムなどの電子放射物を塗布し、ランプ球Ｃ１内には蛍光塗料Ｄを塗布すると共に、ランプ球Ｃ１内を真空にし、同時にアルゴンガスやネオンガスなどの充填気体Ｅを注入し、さらに少量の水銀を加える。電極Ｃ２間に電圧を加えると、電極Ｃ２が放電を開始し、電子が持続的に出てランプ球Ｃ１の水銀原子とぶつかり合い、短波紫外線を発し、紫外線が蛍光塗料Ｄを励起して可視光が発せられる。
しかしながら、発せられる光線は、色温度が一般的に高く、且つ、肉眼に見える光線は、大部分が青色光、紫色光等の冷色系の光線であり、その他暖色系の色光が占める割合は非常に低く、物体を照射すると、その物体の色の鮮明さが低くなり、色彩が不明瞭になりやすい。
【０００７】
このため、いかに顕色性と演色性に優れた照明装置を提供するかが、本考案が解決する技術的問題点である。
【考案の開示】
【考案が解決しようとする課題】
【０００８】
本考案の目的は、顕色性と演色性に優れた照明装置を提供することにある。
【課題を解決するための手段】
【０００９】
本考案の照明器具は、混光装置と回路板から構成され、そのうち、該回路板は駆動回路、白色光発光体、有色光発光体を備え、該駆動回路が該白色光発光体と該有色光発光体の発光を制御し、該白色光発光体は該回路板上に１つ以上設置され、且つ、その周囲に一組以上の配置位置の異なる該有色光発光体が設置され、発光時には該有色光発光体が入射角の異なる有色光を発し、且つ、有色光が混光された後白色光となり、該白色光発光体の発する白色光と混光装置により混合され、物体上に照射されると、有色光の異なる反射角により複数色のそれぞれに発散される多色光が形成される。        
【考案の効果】
【００１０】
本考案の進歩性と実用性をよりはっきりと示すため、以下、従来品と比較して分析する。
《従来品の欠点》
１、従来の照明器具は、多くが白熱球を発光光源として使用している。
２、発せられる光線の色温度が低く、照明を照射する物品が黄色または赤色がかった色に見える。
３、光線内の波長が特定部分に集中する。
４、上述を受け、宝石やダイヤモンドなどの反射体に照射したとき、発生する複数色の光の効果には限りがある。
《本考案の利点》
１、光線が全スペクトル白色光である。
２、光線の色温度が均等である。
３、顕色性と演色性に優れている。
４、消費電力が低い。
５、進歩性と実用性を備えている。
６、産業的競争力を向上できる。    
【考案を実施するための最良の形態】
【００１１】
以下、本考案の照明装置について、具体的な実施例と図面に基づき詳細に説明する。
【００１２】
本考案の照明装置は、図３と図４に示すように、照明器具Ｆが混光装置Ｆ１と回路板Ｇから構成され、そのうち、回路板Ｇは駆動回路Ｇ１、白色光発光体Ｈ、配置位置が異なる有色光発光体Ｉを備え、駆動回路Ｇ１が白色光発光体Ｈと有色光発光体Ｉの発光を制御する。
【００１３】
その特徴は、白色光発光体Ｈと有色光発光体Ｉが同時に発光すると、白色光発光体Ｈが発する光線はスペクトル範囲が一定の白色光であり、このとき有色光発光体Ｉが発する特定のスペクトルで且つ入射角が異なる有色光線が混合され、混光装置Ｆ１から発される光線は全スペクトル光となることにある。
【００１４】
且つ、全スペクトル白色光を照明に用いると、その良好な顕色性と演色性により、人の肉眼または撮影装置に物体がより鮮やかな色彩に映り、且つ、ダイヤモンド等透光性と分光性を備えた物体に照射すると、各色の光の入射角が異なるため、上述の物体を透過した後、異なる反射角に対応し、複数の色がそれぞれ発散され、多色光機能を得ることができる。
【００１５】
また、白色光発光体Ｈと有色光発光体Ｉは体積が小さく、消費電力も小さいため、長時間使用しても高熱を発生せず、節電電球の利点も兼ね備えている。
【００１６】
本考案の実施方法は、図３と図５に示すように、照明器具Ｆ内部の白色光発光体Ｈと有色光発光体Ｉが同時に光線を発し、白色光発光体Ｈが発する白色光Ｊが混光装置Ｆ１から穿出される前に、有色光発光体Ｉが発する有色光Ｋ１、Ｋ２、Ｋ３が同じルートで前進し、且つ、そのスペクトルが相互に重なり合って、混光装置Ｆ１から穿出されると全スペクトル白色光Ｌとなり、人の肉眼Ｏに進入すると共に物体Ｐ上に照射される。このとき、物体Ｐ上に照射される全スペクトル白色光Ｌが反射して人の肉眼Ｏに進入し、全スペクトル白色光Ｌは可視光のすべての色の光スペクトル範囲を備えているため、人が物体Ｐを見るとき、物体Ｐの色が鮮やかに見える。
【００１７】
図６に示すように、照明器具Ｆが発する全スペクトル白色光ＬはダイヤモンドＭに進入すると、各色の光の光屈折角度が異なるため、ダイヤモンドＭに進入した後、異なる有色光Ｋ１、Ｋ２、Ｋ３がそれぞれ屈折され、且つ、各屈折光が再度ダイヤモンドＭに接触するとき、それぞれが接触面で屈折と反射を受け、異なる有色光Ｋ１、Ｋ２、Ｋ３が何度も連続して屈折・反射されることで、ダイヤモンドＭに複数色の輝きを生むことができる。
【００１８】
以上の説明は本考案の最良の実施例について述べたものであり、本考案の特許の範囲を制限するものではなく、本考案の明細書及び図面の内容を運用した同等効果を得る構造を直接的または間接的にその他関連技術領域に応用したものはすべて、本考案の要旨の範囲内に含まれるものとみなす。
【００１９】
上述のように、本考案は従来技術を打破する構造で、確実にその目的とする増進効果が得られ、且つ、当該技術に熟知した人物でなくとも容易に理解することができ、さらに、本考案の出願以前に公開されたことがなく、その進歩性と実用性は実用新案登録出願の要件を満たしているため、法に基づきここに実用新案登録を出願するものである。
【図面の簡単な説明】
【００２０】
【図１】従来の白熱球の立体透視図である。
【図２】従来の節電電球の立体透視図である。
【図３】本考案の立体透視図である。
【図４】本考案の回路板の立体図である。
【図５】本考案の使用時の光線の進路を示す実施例図１である。
【図６】本考案の使用時の光線の進路を示す実施例図２である。
【符号の説明】
【００２１】
Ａ      白熱球              
Ｂ      フィラメント                
Ｃ      節電電球              
Ｃ１    ランプ球                
Ｃ２    電極                
Ｄ      蛍光塗料            
Ｅ      充填気体            
Ｆ      照明器具                
Ｆ１    混光装置            
Ｇ      回路板              
Ｇ１    駆動回路            
Ｈ      白色光発光体          
Ｉ      有色光発光体        
Ｊ      白色光                
Ｋ１、Ｋ２、Ｋ３    有色光              
Ｌ      全スペクトル白色光          
Ｍ      ダイヤモンド                
Ｏ      肉眼                
Ｐ      物体                
【図１】
0003116442.tif 000003
【図２】
0003116442.tif 000004
【図３】
0003116442.tif 000005
【図４】
0003116442.tif 000006
【図５】
0003116442.tif 000007
【図６】
0003116442.tif 000008